【手続補正書】
【提出日】平成20年5月26日(2008.5.26)
【手続補正１】
【補正対象書類名】特許請求の範囲
【補正対象項目名】全文
【補正方法】変更
【補正の内容】
【特許請求の範囲】
【請求項１】
以下のものを含むガス発生剤組成物：
非アジ化物の有機の窒素含有燃料、
塩基性硝酸銅、酸化第二銅、二硝酸ジアンミン銅−硝酸アンモニウム混合物（ここで、硝酸アンモニウムは３〜９０重量％の範囲で混合物中に存在する）、銅ジアンミンビテトラゾール、５−アミノテトラゾールと塩基性硝酸銅との反応から生じる銅−硝酸塩錯体、及びこれらの組合せよりなる群から選択される、少なくとも１種の銅含有化合物、及び、
平均粒子サイズが１００μｍを超える、所定量の少なくとも１種のアルカリ金属過塩素酸塩であって、１〜１０組成重量％の相対量で存在し、該ガス発生剤組成物が燃焼するとき、塩化水素、一酸化炭素、アンモニア、二酸化窒素、及び一酸化窒素を実質的に含まないガス状放出物を生じるのに有効である、少なくとも１種のアルカリ金属過塩素酸塩。
【請求項２】
少なくとも１種のアルカリ金属過塩素酸塩が過塩素酸カリウムである、請求項１記載のガス発生剤組成物。
【請求項３】
少なくとも１種のアルカリ金属過塩素酸塩が過塩素酸ナトリウムである、請求項１記載のガス発生剤組成物。
【請求項４】
少なくとも１種のアルカリ金属過塩素酸塩が少なくとも２００μｍの平均粒子サイズで存在する、請求項１記載のガス発生剤組成物。
【請求項５】
少なくとも１種のアルカリ金属過塩素酸塩が３５０〜４５０μｍの範囲の平均粒子サイズで存在する、請求項１記載のガス発生剤組成物。
【請求項６】
当量比が０．９５〜１．０５の範囲である、請求項１記載のガス発生剤組成物。
【請求項７】
非アジ化物の有機の窒素含有燃料が、硝酸アミン、ニトロアミン、複素環ニトロ化合物、テトラゾール化合物、及びこれらの組合せよりなる群から選択される、請求項１記載のガス発生剤組成物。
【請求項８】
非アジ化物の窒素含有燃料が硝酸グアニジンである、請求項１記載のガス発生剤組成物。
【請求項９】
以下のものから本質的になる、請求項１記載のガス発生剤組成物：
４０〜６０組成重量％の硝酸グアニジン、
３５〜５０組成重量％の塩基性硝酸銅、
平均粒子サイズが１００μｍを超える１〜１０組成重量％のアルカリ金属過塩素酸塩、及び、
１〜５組成重量％の金属酸化物燃焼速度上昇・スラグ生成添加剤。
【請求項１０】
以下のものから本質的になる、請求項１記載のガス発生剤組成物：
４０〜５０組成重量％の硝酸グアニジン、
４０〜５５組成重量％の二硝酸ジアンミン銅−硝酸アンモニウム混合物（ここで硝酸アンモニウムは混合物中に３〜９０重量％の範囲で存在する）、
平均粒子サイズが１００μｍを超える１〜１０組成重量％のアルカリ金属過塩素酸塩、及び、
１〜５組成重量％の金属酸化物燃焼速度上昇・スラグ生成添加剤。
【請求項１１】
以下のものを含む、請求項１記載のガス発生剤組成物：
１０〜４０組成重量％の硝酸グアニジン、
４５〜６０組成重量％の塩基性硝酸銅、
５〜３０組成重量％の銅ジアンミンビテトラゾール、
平均粒子サイズが１００μｍを超える１〜１０組成重量％のアルカリ金属過塩素酸塩、及び、
１〜５組成重量％の少なくとも１種の金属酸化物燃焼速度上昇・スラグ生成添加剤。
【請求項１２】
以下のものを含む、請求項１記載のガス発生剤組成物：
１０〜６０組成重量％の硝酸グアニジン、
１〜３５組成重量％の塩基性硝酸銅、
５−アミノテトラゾールと塩基性硝酸銅との反応から生じる１０〜６０組成重量％の銅−硝酸塩錯体、
平均粒子サイズが１００μｍを超える１〜１０組成重量％のアルカリ金属過塩素酸塩、
１〜５組成重量％の少なくとも１種の金属酸化物燃焼速度上昇・スラグ生成添加剤。
【請求項１３】
自動車の膨張式拘束システムのエアバッグクッションを膨張させるための膨張ガスを発生させる方法であって、
請求項１記載のガス発生剤組成物に点火して、所定量の膨張ガスを発生させる工程、及び、
該膨張ガスでエアバッグクッションを膨張させる工程、
を含む膨張ガス発生方法。
【請求項１４】
膨張ガスが、塩化水素、一酸化炭素、アンモニア、二酸化窒素、及び一酸化窒素を実質的に含まない、請求項１３記載の方法。
【請求項１５】
非アジ化物の有機の窒素含有燃料、
塩基性硝酸銅、酸化第二銅、二硝酸ジアンミン銅−硝酸アンモニウム混合物（ここで、硝酸アンモニウムは３〜９０重量％の範囲で混合物中に存在する）、銅ジアンミンビテトラゾール、５−アミノテトラゾールと塩基性硝酸銅との反応から生じる銅−硝酸塩錯体、及びこれらの組合せよりなる群から選択される銅含有化合物、
平均粒子サイズが１００μｍを超える、１〜１０組成重量％のアルカリ金属過塩素酸塩、及び
二酸化ケイ素、酸化アルミニウム、酸化亜鉛、及びこれらの組合せよりなる群から選択される、１〜５組成重量％の少なくとも１種の金属酸化物燃焼速度上昇・スラグ生成添加剤、
を含むガス発生剤組成物であって、
非アジ化物の有機の窒素含有燃料、銅含有化合物、アルカリ金属過塩素酸塩、及び金属酸化物燃焼速度上昇・スラグ生成添加剤が、該ガス発生剤組成物が０．９５〜１．０５の範囲の当量比を有するのに充分な相対量で存在し、且つ、
該ガス発生剤組成物の燃焼により、塩化水素、一酸化炭素、アンモニア、二酸化窒素、及び一酸化窒素を実質的に含まないガス状放出物をもたらす、ガス発生剤組成物。
【請求項１６】
少なくとも１種のアルカリ金属過塩素酸塩が過塩素酸カリウムである、請求項１５記載のガス発生剤組成物。
【請求項１７】
アルカリ金属過塩素酸塩が少なくとも２００μｍの平均粒子サイズで存在する、請求項１５記載のガス発生剤組成物。
【請求項１８】
アルカリ金属過塩素酸塩が３５０〜４５０μｍの範囲の平均粒子サイズで存在する、請求項１５記載のガス発生剤組成物。
【請求項１９】
以下のものから本質的になる、請求項１５記載のガス発生剤組成物：
４０〜６０組成重量％の硝酸グアニジン、
３５〜５０組成重量％の塩基性硝酸銅、
平均粒子サイズが１００μｍを超える１〜１０組成重量％のアルカリ金属過塩素酸塩、及び、
１〜５組成重量％の金属酸化物。
【請求項２０】
以下のものから本質的になる、請求項１５記載のガス発生剤組成物：
４０〜５０組成重量％の硝酸グアニジン、
４０〜５５組成重量％の二硝酸ジアンミン銅−硝酸アンモニウム混合物（ここで硝酸アンモニウムは混合物中に３〜９０重量％の範囲で存在する）、
平均粒子サイズが１００μｍを超える１〜１０組成重量％のアルカリ金属過塩素酸塩、及び、
１〜５組成重量％の金属酸化物燃焼速度上昇・スラグ生成添加剤。
【請求項２１】
以下のものを含む、請求項１５記載のガス発生剤組成物：
１０〜４０組成重量％の硝酸グアニジン、
４５〜６０組成重量％の塩基性硝酸銅、
５〜３０組成重量％の銅ジアンミンビテトラゾール、
平均粒子サイズが１００μｍを超える１〜１０組成重量％のアルカリ金属過塩素酸塩、
１〜５組成重量％の少なくとも１種の金属酸化物燃焼速上昇・スラグ生成添加剤。
【請求項２２】
以下のものを含む、請求項１５記載のガス発生剤組成物：
１０〜６０組成重量％の硝酸グアニジン、
１〜３５組成重量％の塩基性硝酸銅、
５−アミノテトラゾールと塩基性硝酸銅との反応から生じる１０〜６０組成重量％の銅−硝酸塩錯体、
平均粒子サイズが１００μｍを超える１〜１０組成重量％のアルカリ金属過塩素酸塩、
１〜５組成重量％の少なくとも１種の金属酸化物燃焼速度上昇・スラグ生成添加剤。
【請求項２３】
自動車の膨張式拘束システムのエアバッグクッションを膨張させるための膨張ガスを発生させる方法であって、
請求項１５記載のガス発生剤組成物に点火して、所定量の膨張ガスを発生させる工程、及び、
該膨張ガスでエアバッグクッションを膨張させる工程、
を含む膨張ガス発生方法。
【請求項２４】
非アジ化物の有機の窒素含有燃料を含むガス発生剤組成物の燃焼により生成される放出物の毒性を低下させる方法であって、
平均粒子サイズが１００μｍを超える１〜１０組成重量％のアルカリ金属過塩素酸塩を、該ガス発生剤組成物内に不均一に含ませることを含む、ガス発生剤組成物の燃焼放出物の毒性低下方法。
【請求項２５】
ガス発生剤組成物が、塩基性硝酸銅、酸化第二銅、二硝酸ジアンミン銅−硝酸アンモニウム混合物（ここで、硝酸アンモニウムは３〜９０重量％の範囲で混合物中に存在する）、銅ジアンミンビテトラゾール、５−アミノテトラゾールと塩基性硝酸銅との反応から生じる銅−硝酸塩錯体、及びこれらの組合せよりなる群から選択される少なくとも１種の銅含有化合物を更に含む、請求項２４記載の方法。
【請求項２６】
ガス発生剤組成物中にアルカリ金属過塩素酸塩を含ませることで、ガス発生剤組成物の燃焼により、塩化水素、一酸化炭素、アンモニア、二酸化窒素、及び一酸化窒素よりなる群から選択される少なくとも１種の放出物成分の相対量が低下している放出物がもたらされる、請求項２４記載の方法。
【請求項２７】
ガス発生剤組成物中にアルカリ金属過塩素酸塩を含ませることで、ガス発生剤組成物の燃焼により、塩化水素、一酸化炭素、アンモニア、二酸化窒素、及び一酸化窒素を実質的に含まない放出物がもたらされる、請求項２４記載の方法。
【請求項２８】
アルカリ金属過塩素酸塩が過塩素酸カリウムである、請求項２４記載の方法。
【請求項２９】
アルカリ金属過塩素酸塩が過塩素酸ナトリウムである、請求項２４記載の方法。
【請求項３０】
アルカリ金属過塩素酸塩が少なくとも２００μｍの平均粒子サイズでガス発生剤組成物中に含まれる、請求項２４記載の方法。
【請求項３１】
アルカリ金属過塩素酸塩が３５０〜４５０μｍの範囲の平均粒子サイズでガス発生剤組成物中に含まれる、請求項２４記載の方法。
【請求項３２】
ガス発生剤組成物が０．９５〜１．０５の範囲の当量比を有する、請求項２４記載の方法。
【手続補正２】
【補正対象書類名】明細書
【補正対象項目名】０００８
【補正方法】変更
【補正の内容】
【０００８】
本発明の上記の一般的な目的は、少なくとも一部は、
非アジ化物の有機の窒素含有燃料、
塩基性硝酸銅、酸化第二銅、二硝酸ジアンミン銅（ｃｏｐｐｅｒ  ｄｉａｍｍｉｎｅ  ｄｉｎｉｔｒａｔｅ）−硝酸アンモニウム混合物（ここで、硝酸アンモニウムは約３〜約９０重量％の範囲で混合物中に存在する）、銅ジアンミンビテトラゾール、５−アミノテトラゾールと塩基性硝酸銅との反応から生じる銅−硝酸塩錯体（ｃｏｐｐｅｒ−ｎｉｔｒａｔｅ  ｃｏｍｐｌｅｘ）、及びこれらの組合せ、よりなる群から選択される少なくとも１種の銅含有化合物、及び、
平均粒子サイズが１００μｍを超える、所定量の少なくとも１種のアルカリ金属過塩素酸塩（この少なくとも１種のアルカリ金属過塩素酸塩は、約１〜約１０組成重量％の相対量で存在し、そしてガス発生剤組成物が燃焼するとき、塩化水素、一酸化炭素、アンモニア、二酸化窒素、及び一酸化窒素を実質的に含まないガス状放出物を与えるのに有効である）、
を含むガス発生剤組成物により達成することができる。
【手続補正３】
【補正対象書類名】明細書
【補正対象項目名】００１０
【補正方法】変更
【補正の内容】
【００１０】
本発明は更に、
非アジ化物の有機の窒素含有燃料、
塩基性硝酸銅、酸化第二銅、二硝酸ジアンミン銅−硝酸アンモニウム混合物（ここで、硝酸アンモニウムは約３〜約９０重量％の範囲で混合物中に存在する）、銅ジアンミンビテトラゾール、５−アミノテトラゾールと塩基性硝酸銅との反応から生じる銅−硝酸塩錯体、及びこれらの組合せよりなる群から選択される、銅含有化合物、
平均粒子サイズが１００μｍを超える、約１〜約１０組成重量％のアルカリ金属過塩素酸塩、及び、
二酸化ケイ素、酸化アルミニウム、酸化亜鉛、及びこれらの組合せよりなる群から選択される、約１〜約５組成重量％の少なくとも１種の金属酸化物燃焼速度上昇・スラグ生成添加剤、
を含むガス発生剤組成物であって、
非アジ化物の有機の窒素含有燃料、銅含有化合物、アルカリ金属過塩素酸塩、及び金属酸化物燃焼速度上昇・スラグ生成添加剤が、ガス発生剤組成物が約０．９５〜約１．０５の範囲の当量比を有するのに充分な相対量で存在し、且つ、
ガス発生剤組成物の燃焼により、塩化水素、一酸化炭素、アンモニア、二酸化窒素、及び一酸化窒素を実質的に含まないガス状放出物をもたらす、ガス発生剤組成物を包含する。
【手続補正４】
【補正対象書類名】明細書
【補正対象項目名】００１１
【補正方法】変更
【補正の内容】
【００１１】
本発明はなお更に、非アジ化物の有機の窒素含有燃料を含むガス発生剤組成物の燃焼により生成される放出物の毒性を低下させる方法であって、
平均粒子サイズが１００μｍを超える、約１〜約１０組成重量％のアルカリ金属過塩素酸塩を、ガス発生剤組成物中に不均一に含ませること、
を含む方法を包含する。
【手続補正５】
【補正対象書類名】明細書
【補正対象項目名】００１５
【補正方法】変更
【補正の内容】
【００１５】
本発明は、改良されたガス発生剤組成物を提供する。更に詳しくは、ガス発生剤組成物中に、充分な粒子サイズの粒子でもって１種以上のアルカリ金属過塩素酸塩を含有させることにより、ガス発生剤放出生成物を劇的に改良できる（例えば、生じる放出物における好ましくない物質の、例えば塩化水素、一酸化炭素、アンモニア、二酸化窒素、及び一酸化窒素のうちの１種以上のような物質の、含有量が有意に低下する）ことが発見された。更に詳しくは、平均粒子サイズが１００μｍを超え、好ましくは平均粒子サイズが少なくとも約２００μｍのアルカリ金属過塩素酸塩粒子をガス発生剤組成物中に含有させると、そのようなサイズのアルカリ金属過塩素酸塩粒子を含有しないことを除いて同じガス発生剤組成物の燃焼から生じる放出物と比較して、かかるサイズのアルカリ金属過塩素酸塩粒子を含むガス発生剤組成物の燃焼から生じる放出物を劇的に改良することができることが分かった。本発明の少なくとも特定の好適な態様では、本発明によるガス発生剤組成物に含有されるアルカリ金属過塩素酸塩粒子は、約３５０〜約４５０μｍの範囲の平均粒子サイズを有することが有利であることが分かった。
【手続補正６】
【補正対象書類名】明細書
【補正対象項目名】００１７
【補正方法】変更
【補正の内容】
【００１７】
本発明のガス発生剤組成物中に取り入れられるアルカリ金属過塩素酸塩の粒子サイズが大きいほど、それから得られる不均一性の程度が大きくなり、そのため、本発明により粒子状ガス発生剤組成物中へサイズ調整したアルカリ金属過塩素酸塩粒子を含ませることの結果として、放出物の毒性に関して達成される効果がより大きくなるものと理論づけされる。更に、平均粒子サイズが１００μｍ未満のアルカリ金属過塩素酸塩粒子を使用すると、その結果得られるアルカリ金属過塩素酸塩含有ガス発生剤組成物がより均一になるため有効性は低下すると理論づけされる。
【手続補正７】
【補正対象書類名】明細書
【補正対象項目名】００２４
【補正方法】変更
【補正の内容】
【００２４】
本発明による好適なガス発生剤組成物としては、以下のものが挙げられる。
１．択一的に、以下のものを含む、以下のものからなる、又は以下のものから本質的になる組成物：
約４０〜約６０組成重量％の硝酸グアニジン、
約３５〜約５０組成重量％の塩基性硝酸銅、
平均粒子サイズが１００μｍを超える約１〜約１０組成重量％のアルカリ金属過塩素酸塩、及び
約１〜約５組成重量％の金属酸化物燃焼速度上昇・スラグ生成添加剤。
【手続補正８】
【補正対象書類名】明細書
【補正対象項目名】００２５
【補正方法】変更
【補正の内容】
【００２５】
２．択一的に、以下のものを含む、以下のものからなる、又は以下のものから本質的になる組成物：
約４０〜約５０組成重量％の硝酸グアニジン、
約４０〜約５５組成重量％の二硝酸ジアンミン銅−硝酸アンモニウム混合物（ここで硝酸アンモニウムは混合物中に約３〜約９０重量％の範囲で存在する）、
平均粒子サイズが１００μｍを超える約１〜約１０組成重量％のアルカリ金属過塩素酸塩、及び
約１〜約５組成重量％の金属酸化物燃焼速度上昇・スラグ生成添加剤。
【手続補正９】
【補正対象書類名】明細書
【補正対象項目名】００２６
【補正方法】変更
【補正の内容】
【００２６】
３．択一的に、以下のものを含む、以下のものからなる、又は以下のものから本質的になる組成物：
約１０〜約４０組成重量％の硝酸グアニジン、
約４５〜約６０組成重量％の塩基性硝酸銅、
約５〜約３０組成重量％の銅ジアンミンビテトラゾール、
平均粒子サイズが１００μｍを超える約１〜約１０組成重量％のアルカリ金属過塩素酸塩、及び
約１〜約５組成重量％の少なくとも１種の金属酸化物燃焼速度上昇・スラグ生成添加剤。
【手続補正１０】
【補正対象書類名】明細書
【補正対象項目名】００２７
【補正方法】変更
【補正の内容】
【００２７】
４．択一的に、以下のものを含む、以下のものからなる、又は以下のものから本質的になる組成物： 
約１０〜約６０組成重量％の硝酸グアニジン、
約１〜約３５組成重量％の塩基性硝酸銅、
５−アミノテトラゾールと塩基性硝酸銅との反応から生じる約１０〜約６０組成重量％の銅−硝酸塩錯体、
平均粒子サイズが１００μｍを超える約１〜約１０組成重量％のアルカリ金属過塩素酸塩、及び
約１〜約５組成重量％の少なくとも１種の金属酸化物燃焼速度上昇・スラグ生成添加剤。